(57)【要約】【課題】  精神障害者などを収容する収容施設等において使用する机として、投げつけられても怪我をする危険性がなく、壊されても簡単に更供給が可能な低コストの使い捨て机を提供する。【解決手段】  四角形の紙材の四辺部を下方へ直角に折り曲げて、机体２の天板部２ａに連設された縁枠部２ｂを形成し、更に前記机体２の下部の前記縁枠部２ｂの内側に、前記縁枠部２ｂの内側の対角線に沿って互いに交差する２枚の平らな四角形の紙材３ａ、３ｂからなる机の脚体３を嵌入係着して使い捨て机を形成した。【選択図】        図１
0003112382.tif 000002
【実用新案登録請求の範囲】
【請求項１】
四角形の紙材の四辺部を下方へ直角に折り曲げて、机体の天板部に連設された縁枠部を形成し、更に前記机体の下部の前記縁枠部の内側に、前記縁枠部の内側対角線に沿って互いに交差する２枚の平らな四角形の紙材からなる机の脚体を嵌入係着して形成した使い捨て机。
【請求項２】
前記机の脚体は、前記２枚の平らな四角形の紙材の中間部に、相手の四角形の紙材と係合可能なスリットを互いに逆向きに設けて、該スリット部において前記２枚の平らな四角形が互いに係合交差して形成されている請求項１に記載の使い捨て机。
【請求項３】
前記縁枠部の４隅の各稜部に生ずる縁枠の剰余部分を、内側に折り曲げると共に隣接する縁枠の内側に結着させて、前記縁枠部が連続した構造となるように形成した請求項１に記載の使い捨て机。
【請求項４】
前記紙材は、厚手の段ボール紙からなる請求項１乃至請求項３のいずれか１に記載の使い捨て机。
【考案の詳細な説明】
【技術分野】
【０００１】
本考案は、精神障害者や情緒不安定者などを収容する収容施設において、被収容者が使用するのに最適な使い捨て机に関する。
【背景技術】
【０００２】
精神障害者等の収容施設において、患者の精神障害の急性期に見られる興奮状態では、自殺や自傷行為をしたり、他人に暴力を振るったり、又は什器等を投げて破壊したりすることがある。
【０００３】
このため、隔離室に収容されている患者の食事時には、食卓やテーブルを使用させずに食器を直接床に置くなどしていた。
【０００４】
しかしこれは患者の人権を考慮すると問題があるので、患者のアメニティーの向上を図るため、安価に製造できると共に凶器として使われることがなく安全な、紙等でできた使い捨て机が望まれていた。
【０００５】
この種の紙を利用した机として、たとえば家庭用の電気製品のパッケージ等における補強材として使用された紙管のように、廃棄される材料を活用して、椅子や机等の家具を、組立て方式により造形するようにした例がある（特許文献１参照。）。
【０００６】
又、台部と脚部とを備え、台部は、矩形の段ボール板をその中心線の両側に対称に設けた互いに平行な第１ないし第３台部折り線に沿って同方向に折り曲げることにより、傾斜台下面と、両側から互いに添設されて天板面に直交する中央リブを形成する合わせ面と、天板面の裏面に添着しかつ先端辺が第１台部折り線の内側に達している天板補強面とを備えた三角柱状に形成されており、かつ台部は、その両小口端から稍内側の位置に中央リブを挟む２対の矩形の開口を備えており、脚部は、矩形の段ボール板をその中心線の両側に対称に設けた互いに平行な第１ないし第４脚部折り線に沿って同方向に押し曲げることにより、中央側面と直交する第１側面と、中央側面と平行な第２側面と、終身線部分で中央側面と直交しかつ両側の面相互の間に前記中央リブが挿入される隙間を形成している対向面と、中央側面に添設されて先端辺が第１脚部折り線の内側に達している脚部補強面とを備えて、前記開口に丁度嵌入される矩形断面の角筒状に形成されており、かつ脚部は、その一方の小口端から中心線に沿って台部の中央リブが丁度嵌装されるスリットを備えており、脚部のスリットに台部の中央リブを挿入した状態で脚部が台部の開口にその小口端が天板補強面に当接するまで挿入して組立てられていることを特徴とする、段ボール板紙製の台の例もある（特許文献２参照。）。
【特許文献１】特開２０００−３３０２２号公報
【特許文献２】特開平１０−５２３３８号公報
【考案の開示】
【考案が解決しようとする課題】
【０００７】
しかし、前記特許文献１の発明は廃棄材料の再利用なので大量の供給には不向きであり、又、これを新材料から作るときには、紙管のような複雑に整形された材料を用意しなければならず、構造が複雑であると共に製造コストが高くなるという問題があった。
【０００８】
又、前記特許文献２の発明も、構造が複雑であると共に、製造工程が複雑なので、コスト高になり、使い捨て机に適さないという問題があった。
【０００９】
本考案はこれらの問題点を解消し、構造が簡単で製造コストも安くて済むような、紙製の使い捨て机を提供することを目的とする。
【課題を解決するための手段】
【００１０】
本考案は上記の目的を達成すべく、四角形の紙材の四辺部を下方へ直角に折り曲げて、机体の天板部に連設された縁枠部を形成し、更に前記机体の下部の前記縁枠部の内側に、前記縁枠部の内側対角線に沿って互いに交差する２枚の平らな四角形の紙材からなる机の脚体を嵌入係着して形成した。
【考案の効果】
【００１１】
本考案の効果として、本考案の使い捨て机は投げつけられても怪我をする危険性がなく、又、例え壊されても、部品点数が少なくて組立が簡単なので、容易に該使い捨て机の補強を行なうことができ、しかも低コストで作れると共に紙製なので、資源として再利用が可能となる。
【考案を実施するための最良の形態】
【００１２】
本考案を実施するための最良の形態を以下に示す。
【実施例１】
【００１３】
本考案の１実施例を図１乃至図５により説明する。
【００１４】
図１に本考案の使い捨て机１の斜視図を示した。
【００１５】
使い捨て机１は、上部の机体２と該机体２の下面に係着されている脚体３とからなる。
【００１６】
前記机体２の展開図を図２に示した。
【００１７】
即ち、机体２は厚手の段ボール紙を図２の実線の如く四角形にカットし、図２に示す点線に沿って四辺部を下方へ直角に折り曲げて、中央に位置する四角形の天板部２ａに連設された縁枠部２ｂを形成する。更に該縁枠部２ｂの端末から突出する剰余部分２ｂ１を内側に折り曲げると共に該剰余部分２ｂ１を隣接する縁枠部２ｂの端部の内側に折り重ね、両面接着テープを用いて該剰余部分２ｂ１と該端部との間を互いに結着させて、前記縁枠部２ｂが連続した枠状の構造となるようにして、図３に示す机体２を形成した。
【００１８】
尚、図３は該机体２を上下反転させて示している。
【００１９】
次に、前記机の脚体３は、厚手の段ボール紙からなる２枚の平らな四角形の脚材部３ａ、３ｂにより形成される。
【００２０】
前記脚材部３ａ、３ｂを図４に示す。
【００２１】
これら脚材部３ａ、３ｂは、各々前記縁枠部２ｂの内側対角線と等しい長さを有すると共に、該対角線と等しい長さ方向の中間部に、それぞれ相手の脚材部に係合可能なスリット３ａ１又は３ｂ１を互いに逆向きに有しており、これらスリット部３ａ１、３ｂ１においてこれら脚材部３ａ、３ｂを互いに係合交差させて、図５に示す如く脚体３を形成した。
【００２２】
かくて、前記脚体３を前記机体２の縁枠部２ｂ内に嵌入係着して、使い捨て机１を完成する。
【００２３】
尚、前記脚体３の前記机体２への係着方法としては、前記の如く脚体３を机体２の下面に嵌入させた後、両者の当接部にセロテープ（登録商標）等の接着テープを貼って係着させるという簡単な方法によっても行なうことができる。
【産業上の利用可能性】
【００２４】
本考案の使い捨て机は、情緒不安定者を収容している収容施設での使用に適するほか、キャンプ場等の現場で組立てて利用するのにも適している。
【図面の簡単な説明】
【００２５】
【図１】本考案の使い捨て机の斜視図である。
【図２】前記使い捨て机の上部の机体の展開図である。
【図３】前記机体の斜視図である（上下を反転させて示す。）。
【図４】前記使い捨て机の脚体を構成する脚材部の平面図である。
【図５】前記脚体の斜視図である。
【符号の説明】
【００２６】
１              使い捨て机
２              机部
２ａ            天板部
２ｂ            縁枠部
２ｂ１          縁枠の剰余部分
３              脚体
３ａ１、３ｂ１  スリット
【図１】
0003112382.tif 000003
【図２】
0003112382.tif 000004
【図３】
0003112382.tif 000005
【図４】
0003112382.tif 000006
【図５】
0003112382.tif 000007